(57)【要約】【課題】被写体である人物に撮影装置の状態を通知するに際し、無駄な電力を削減し、省エネルギー化を図ることができる撮影装置を提供する。【解決手段】画像を撮影する撮影手段（撮像素子１４）と、画像の中に人物の像が含まれているかを検知する検知手段（顔認識回路２１）と、人物にむけて撮影手段の状態を通知する通知手段（タリーランプ５８）とを備える。また、検知手段が人物を検知しているときは、撮影手段の状態を通知手段によって通知し、検知手段が人物を検知していないときは、通知手段を動作させないように制御する制御手段（システム制御回路５０）を備える。【選択図】図１
2010093432.tif 000002
【特許請求の範囲】
【請求項１】
画像を撮影する撮影手段と、
前記画像の中に人物の像が含まれているかを検知する検知手段と、
前記人物にむけて前記撮影手段の状態を通知する通知手段と、
前記検知手段が前記人物を検知しているときは、前記撮影手段の状態を前記通知手段によって通知し、前記検知手段が前記人物を検知していないときは、前記通知手段を動作させないように制御する制御手段と、
を備えることを特徴とする撮影装置。
【請求項２】
前記撮影手段の状態とは、前記撮影手段が動作中の状態、前記撮影手段の動作準備が完了した状態、前記撮影手段が動作継続可能な状態のいずれかであることを特徴とする請求項１記載の撮影装置。
【請求項３】
画像を撮影する撮影手段と、
前記画像の中に人物の像が含まれているかを検知する検知手段と、
前記画像を連続的に記録する記録手段もしくは前記画像を連続的に通信する通信手段の少なくとも一方と、
前記人物にむけて前記記録手段もしくは前記通信手段の状態を通知する通知手段と、
前記検知手段が前記人物を検知しているときは、前記記録手段もしくは前記通信手段の状態を前記通知手段によって通知し、前記検知手段が前記人物を検知していないときは、前記通知手段を動作させないように制御する制御手段と、
を備えることを特徴とする撮影装置。
【請求項４】
前記記録手段もしくは前記通信手段の状態とは、前記記録手段が動作中である状態、前記記録手段の動作準備が完了した状態、前記記録手段が動作継続可能である状態、前記通信手段が動作中である状態、前記通信手段の動作準備が完了した状態、前記通信手段が動作継続可能である状態のいずれかであることを特徴とする請求項３記載の撮影装置。
【請求項５】
前記制御手段は、前記検知手段が前記人物を検知し、あるタイミングで前記人物を検知しなくなった場合であって、一定の時間、継続して前記人物を検知しなかった場合に、前記通知手段の動作を停止させることを特徴とする請求項１または３記載の撮影装置。
【請求項６】
前記通知手段は、発光素子であることを特徴とする請求項１または３記載の撮影装置。
【請求項７】
画像を撮影する撮影ステップと、
前記画像の中に人物の像が含まれているかを検知する検知ステップと、
前記人物にむけて前記撮影ステップの状態を通知する通知ステップと、
前記検知ステップが前記人物を検知しているときは、前記撮影ステップの状態を前記通知ステップによって通知し、前記検知ステップが前記人物を検知していないときは、前記通知ステップを動作させないように制御する制御ステップと、
を備えることを特徴とする撮影装置の制御方法。
【請求項８】
前記撮影ステップの状態とは、前記撮影ステップが動作中の状態、前記撮影ステップの動作準備が完了した状態、前記撮影ステップが動作継続可能な状態のいずれかであることを特徴とする請求項７記載の撮影装置の制御方法。
【請求項９】
画像を撮影する撮影ステップと、
前記画像の中に人物の像が含まれているかを検知する検知ステップと、
前記画像を連続的に記録する記録ステップもしくは前記画像を連続的に通信する通信ステップの少なくとも一方と、
前記人物にむけて前記記録ステップもしくは前記通信ステップの状態を通知する通知ステップと、
前記検知ステップが前記人物を検知しているときは、前記記録ステップもしくは前記通信ステップの状態を前記通知ステップによって通知し、前記検知ステップが前記人物を検知していないときは、前記通知ステップを動作させないように制御する制御ステップと、
を備えることを特徴とする撮影装置の制御方法。
【請求項１０】
前記記録ステップもしくは前記通信ステップの状態とは、前記記録ステップが動作中である状態、前記記録ステップの動作準備が完了した状態、前記記録ステップが動作継続可能である状態、前記通信ステップが動作中である状態、前記通信ステップの動作準備が完了した状態、前記通信ステップが動作継続可能である状態のいずれかであることを特徴とする請求項９記載の撮影装置の制御方法。
【請求項１１】
前記制御ステップは、前記検知ステップが前記人物を検知し、あるタイミングで前記人物を検知しなくなった場合であって、一定の時間、継続して前記人物を検知しなかった場合に、前記通知ステップの動作を停止させることを特徴とする請求項７または９記載の撮影装置の制御方法。
【請求項１２】
撮影装置の制御方法をコンピュータに実行させるプログラムにおいて、
前記撮影装置の制御方法は、
画像を撮影する撮影ステップと、
前記画像の中に人物の像が含まれているかを検知する検知ステップと、
前記人物にむけて前記撮影ステップの状態を通知する通知ステップと、
前記検知ステップが前記人物を検知しているときは、前記撮影ステップの状態を前記通知ステップによって通知し、前記検知ステップが前記人物を検知していないときは、前記通知ステップを動作させないように制御する制御ステップと、
を備えることを特徴とするプログラム。
【請求項１３】
撮影装置の制御方法をコンピュータに実行させるプログラムにおいて、
前記撮影装置の制御方法は、
画像を撮影する撮影ステップと、
前記画像の中に人物の像が含まれているかを検知する検知ステップと、
前記画像を連続的に記録する記録ステップもしくは前記画像を連続的に通信する通信ステップの少なくとも一方と、
前記人物にむけて前記記録ステップもしくは前記通信ステップの状態を通知する通知ステップと、
前記検知ステップが前記人物を検知しているときは、前記記録ステップもしくは前記通信ステップの状態を前記通知ステップによって通知し、前記検知ステップが前記人物を検知していないときは、前記通知ステップを動作させないように制御する制御ステップと、
を備えることを特徴とするプログラム。
【発明の詳細な説明】
【技術分野】
【０００１】
本発明は、撮影装置及びその制御方法、並びにプログラムに関する。更に詳しくは、撮影装置の状態を被写体である人物に向けて通知する場合であって、通知手段の省エネルギー化技術に特徴のある撮影装置及びその制御方法、並びにプログラムに関する。
【背景技術】
【０００２】
一般的なビデオカメラには、タリーランプ（稼動しているカメラを示すランプ）が装備されており、動画記録中にはこのタリーランプが点滅するようになっている。これにより、撮影者及び被撮影者はビデオカメラが録画モードになっていることを確認することができるようになっている。
【０００３】
これに関連した従来技術として、リモートコントローラによる遠隔操作可能なビデオカメラが提案されている。このようなビデオカメラでは、録画中を示すタリーランプの点滅制御、及びリモートコントローラから送信信号の受信確認のための点滅制御に加えて、受信信号によるビデオカメラの制御内容を特定するためのタリーランプの点滅制御を行うこともできる。これにより、リモートコントローラの操作者は、容易にビデオカメラの設定状態を確認することが可能である（例えば、特許文献１を参照）。
【０００４】
更に特許文献２では、複数の記録モードを搭載する記録装置において、選択されている記録モードに応じて点灯形態を変更する技術が開示されている。
【０００５】
また、デジタルビデオに限らず、近年のデジタルカメラの発展に伴い、動画記録の可能なものが登場している。このようなデジタルカメラにおいては、カメラとして従来から備わっているセルフタイマ機能使用時のセルフ表示ランプの表示と、動画記録時のタリーランプの表示との区別がつきにくい。そのため、使用者が撮影モードを識別するのに混乱が生じる可能性がある。
【０００６】
この問題を解決するため、それぞれ異なる発光パターンを使用する技術が提案されている（例えば、特許文献３）。
【０００７】
このように、タリーランプは、動画記録中であることを示す機能に加えて、デジタルビデオ／デジタルカメラの動作状態を撮影者及び被撮影者に対して通知する機能として積極的に使用されている。
【特許文献１】特開平０５―１４５８０５号公報
【特許文献２】特開２００５―０２０４８４号公報
【特許文献３】特開２００１―２５１５３７号公報
【発明の開示】
【発明が解決しようとする課題】
【０００８】
昨今のデジタルビデオ及びデジタルカメラの発展は目覚しく、それぞれの機器が提供可能な機能や性能は大幅に増加している。その一例として、デジタルカメラの動画撮影機能、デジタルビデオ／デジタルカメラの動画記録中における静止画撮影機能等がある。また、高画素化に伴ってＭＰＵ（マイクロプロセッシングユニット）の高速化もなされている。
【０００９】
更にはユーザーの利便性向上のため、デジタルビデオ及びデジタルカメラに搭載される液晶ディスプレイ等の表示部材の大型化等も進んでいる。
【００１０】
これらに伴って、デジタルビデオ、デジタルカメラ等の撮影装置の消費電力は上がってきている。
【００１１】
本発明の目的は、被写体である人物に撮影装置の状態を通知するに際し、無駄な電力を削減し、省エネルギー化を図ることができる撮影装置及びその制御方法、並びにプログラムを提供することにある。
【課題を解決するための手段】
【００１２】
上記目的を達成するために、請求項１記載の撮影装置は、画像を撮影する撮影手段と、前記画像の中に人物の像が含まれているかを検知する検知手段と、前記人物にむけて前記撮影手段の状態を通知する通知手段と、前記検知手段が前記人物を検知しているときは、前記撮影手段の状態を前記通知手段によって通知し、前記検知手段が前記人物を検知していないときは、前記通知手段を動作させないように制御する制御手段とを備えることを特徴とする。
【００１３】
請求項３記載の撮影装置は、画像を撮影する撮影手段と、前記画像の中に人物の像が含まれているかを検知する検知手段と、前記画像を連続的に記録する記録手段もしくは前記画像を連続的に通信する通信手段の少なくとも一方と、前記人物にむけて前記記録手段もしくは前記通信手段の状態を通知する通知手段と、前記検知手段が前記人物を検知しているときは、前記記録手段もしくは前記通信手段の状態を前記通知手段によって通知し、前記検知手段が前記人物を検知していないときは、前記通知手段を動作させないように制御する制御手段とを備えることを特徴とする。
【００１４】
請求項７記載の撮影装置の制御方法は、画像を撮影する撮影ステップと、前記画像の中に人物の像が含まれているかを検知する検知ステップと、前記人物にむけて前記撮影ステップの状態を通知する通知ステップと、前記検知ステップが前記人物を検知しているときは、前記撮影ステップの状態を前記通知ステップによって通知し、前記検知ステップが前記人物を検知していないときは、前記通知ステップを動作させないように制御する制御ステップとを備えることを特徴とする。
【００１５】
請求項９記載の撮影装置の制御方法は、画像を撮影する撮影ステップと、前記画像の中に人物の像が含まれているかを検知する検知ステップと、前記画像を連続的に記録する記録ステップもしくは前記画像を連続的に通信する通信ステップの少なくとも一方と、前記人物にむけて前記記録ステップもしくは前記通信ステップの状態を通知する通知ステップと、前記検知ステップが前記人物を検知しているときは、前記記録ステップもしくは前記通信ステップの状態を前記通知ステップによって通知し、前記検知ステップが前記人物を検知していないときは、前記通知ステップを動作させないように制御する制御ステップと、を備えることを特徴とする。
【００１６】
請求項１２記載のプログラムは、撮影装置の制御方法をコンピュータに実行させるプログラムにおいて、前記撮影装置の制御方法は、画像を撮影する撮影ステップと、前記画像の中に人物の像が含まれているかを検知する検知ステップと、前記人物にむけて前記撮影ステップの状態を通知する通知ステップと、前記検知ステップが前記人物を検知しているときは、前記撮影ステップの状態を前記通知ステップによって通知し、前記検知ステップが前記人物を検知していないときは、前記通知ステップを動作させないように制御する制御ステップとを備えることを特徴とする。
【００１７】
請求項１３記載のプログラムは、撮影装置の制御方法をコンピュータに実行させるプログラムにおいて、前記撮影装置の制御方法は、画像を撮影する撮影ステップと、前記画像の中に人物の像が含まれているかを検知する検知ステップと、前記画像を連続的に記録する記録ステップもしくは前記画像を連続的に通信する通信ステップの少なくとも一方と、前記人物にむけて前記記録ステップもしくは前記通信ステップの状態を通知する通知ステップと、前記検知ステップが前記人物を検知しているときは、前記記録ステップもしくは前記通信ステップの状態を前記通知ステップによって通知し、前記検知ステップが前記人物を検知していないときは、前記通知ステップを動作させないように制御する制御ステップとを備えることを特徴とする。
【発明の効果】
【００１８】
本発明の撮影装置によれば、被写体である人物に撮影装置の状態を通知するに際し、無駄な電力を削減し、省エネルギー化を図ることができる。
【発明を実施するための最良の形態】
【００１９】
以下、本発明を図面を参照しながら詳細に説明する。
【００２０】
実施の形態の説明の前に、まず本発明の概要を説明する。
【００２１】
本発明は、デジタルビデオカメラ、デジタルカメラに代表される撮影装置の状態を被写体である人物に通知する場合において、被写体の中に通知する人物がいる場合にのみ、通知を行うことを特徴としている。
【００２２】
ここで言う撮影装置とは、光学像をフイルムのような感光材料に記録、或いは電気信号に置き換える撮影手段を有し、置き換えた電気信号を記録もしくは外部へ送信することが可能な装置を言う。
【００２３】
例えば、撮影手段にＣＭＯＳ（相補形金属酸化膜半導体）イメージセンサやＣＣＤ（電荷結合素子）イメージセンサ等の撮像素子を用いて被写体の光学像を電気信号に置き換え、これを画像データとして記録する装置等が挙げられる。
【００２４】
例えば、デジタルスチルカメラのように静止画を主に撮影するもの、デジタルビデオのように主に動画を撮影するものを含む。また、デジタルビデオ、デジタルカメラのように撮影した画像データを装置内に記録する手段を備えるもの、監視カメラのように外部に画像データを送信するものも含む。
【００２５】
撮影した画像データを記録する手段としては、コンパクトフラッシュ（登録商標）メモリ等のようなフラッシュメモリ、ＤＶＣテープ、ＤＶＤ−Ｒのような媒体等既存のものを利用できる。撮影した画像データを送信する手段は、有線ＬＡＮ（ローカルエリアネットワーク）、無線ＬＡＮ、ＵＳＢ（ユニバーサルシリアルバス）等既存の手段を利用可能である。
【００２６】
また、本発明で言う通知手段とは、撮影装置の情報を被写体である人物に通知するための手段を言う。好ましくは光学的に通知する手段で、例えば、ＬＥＤ（発光ダイオード）等が挙げられる。そのほかにも、電波や音波、赤外光等を利用したものも含み、これらに限定されるものではない。
【００２７】
通知する内容は、例えば撮影中であること、撮影の準備が完了していること等が挙げられる。特に、動画記録機能が内蔵されたデジタルカメラは、被写体である人物（モデル）にレンズを向けても、モデルはユーザーが静止画を撮影していると思い込み、ポーズをとって動かなくなる場合がある。
【００２８】
このような場合、動画撮影中であることを通知することが好ましい。ビデオカメラにおいても同様で、動画記録中であることを通知するためのタリーランプを備えている製品も多い。
【００２９】
一方で、いわゆるライブビュー（カメラ本体内或いは外部のモニターに、撮像素子が受光した像をほぼリアルタイムに表示させる機能）のように、撮影されていても画像を記録されていない場合もある。
【００３０】
このような場合はモデルに通知することは必ずしも必要ではなく、画像を記録している場合や、画像を外部に送信している場合にのみ通知する方法もある。しかしながら、焦点を合わせて光量を調整する等撮影の準備が完了し、今にも撮影が開始可能であることをモデルに通知する技術も本発明の様態のひとつである。
【００３１】
更には、特許文献２で開示されているように、複数ある撮影記録モードのうち、どのモードで記録されているか、更には記録終了までの残り時間等動作が継続可能かどうかを通知する場合も含まれる。
【００３２】
尚、通知する内容は適宜選択可能で、これらに限定されるものではないが、本発明の目的を鑑みると、省エネルギー化のために通知手段を動作させるかを決定するための手段として人物検知手段を用いるものである。人物検知結果そのものを通知することは本発明の意図するところではない。
【００３３】
被写体に人物が含まれるかを検知する人物検知手段は、画像から人物の輪郭を抽出する手段等がある。通知手段がＬＥＤ等光学的な手段である場合には、人物の全体像を検知するのではなく、顔を検知することが好ましい。
【００３４】
顔を認識する技術として、例えば、原画像から肌色データを抽出し、肌色範囲と判断された測光点のクラスタを顔として判断する技術がある。この技術については、特開昭５２−１５６６２４号公報、特開昭５３−１４５６２１号公報、特開昭５３−１４５６２２号公報等に開示されている。更に、特開平４−３４６３３３号公報では、測光データを色相と彩度に変換し、変換した色相・彩度の二次元ヒストグラムを作成し、解析することで、顔領域を判断する技術が開示されている。
【００３５】
また、特開平８−０６３５９７号公報においては、人の顔の形状に相当する顔候補領域を抽出し、その領域内の特徴量から顔領域を決定する技術が開示されている。また、別の技術としては、画像から人の顔の輪郭を抽出し、顔領域を決定するものもある。
【００３６】
更に別の技術としては、複数の顔の形状をしたテンプレートを用意し、そのテンプレートと画像との相関を計算し、この相関値により顔候補領域とすることで人の顔を抽出するものがある。
【００３７】
本発明に用いる人物検知手段は、このような既知のものを適宜選択して用いることが可能であり、これらに限定されるものではない。
【００３８】
本発明では、上述の方法によって人を検知した場合にのみ通知手段を動作させ、人を検知できない場合は通知手段を停止させる。この場合において、例えば、人物検知手段がＬＥＤ等光学的手段である場合、被写体に人物が検知されたとしても視線が他方を向いており、本発明の装置を見ていない場合は、通知手段を停止させることも好ましい様態である。人物の視線を判断する技術としては、例えば、特開２００１−５１３３８号公報で開示されている技術等を用いることが可能である。
【００３９】
また、それまで顔を検知していたが、ある時点から顔が認識（検知）されなくなった場合、人物よりも手前にある背景によって一瞬隠れただけ、或いは下を向く等一瞬顔の角度が変わっただけと言う可能性もある。このような場合は、必ずしも通知手段を停止させる必要はなく、動作を継続させることも好ましい。
【００４０】
即ち、これまで顔を検知していたが、あるタイミングで顔を検知しなくなった場合、連続して一定時間再び顔を検知できなかった場合に始めて通知手段を停止させる。ここで言う一定時間は、長いと本発明の効果が薄れ、短いと被写体である人物が通知を見逃す可能性が高くなる。この時間は特に限定されるものではないが、１秒乃至１０秒程度が好ましい。
【００４１】
以下、本発明の実施の形態を説明する。
【００４２】
図１は、本発明の実施の形態に係る撮影装置の構成を示すブロック図である。
【００４３】
図１において、以下、撮影装置１００の構成を動作と併せて説明する。
【００４４】
撮影レンズ１０は、フォーカスレンズ１０ａ及びズームレンズ１０ｂから構成される。シャッタ１２は絞り機能を備える。撮像素子１４は、光学像を電気信号に変換する。Ａ／Ｄ変換器１６は、撮像素子１４のアナログ信号出力をディジタル信号に変換する。
【００４５】
タイミング発生回路１８は、撮像素子１４、 Ａ／Ｄ変換器１６、 Ｄ／Ａ変換器２６にクロック信号や制御信号を供給するものであり、メモリ制御回路２２及びシステム制御回路５０により制御される。
【００４６】
画像処理回路２０は、Ａ／Ｄ変換器１６からのデータ或いはメモリ制御回路２２からのデータに対して所定の画素補間処理や色変換処理を行う。更には、画像処理回路２０は、画像データを用いて所定の演算処理を行う。
【００４７】
得られた演算結果に基づいて、システム制御回路５０は、絞りシャッタ駆動部４０、フォーカスレンズ駆動部４２を制御して、ＴＴＬ（スルー・ザ・レンズ）方式のＡＦ（オートフォーカス）処理を行う。また、ＡＥ（自動露出）処理、ＥＦ（フラッシュプリ発光）処理等も行っている。
【００４８】
また、画像処理回路２０においては、撮影した画像データを用いて所定の演算処理を行い、得られた演算結果に基づいてＴＴＬ方式のＡＷＢ（オートホワイトバランス）処理も行っている。
【００４９】
更には、顔認識回路２１によって、被写体に人物像、特に、顔が含まれているかを検知（認識）し、その結果をシステム制御回路５０に通知する。その結果を受けて、システム制御回路５０は、必要に応じて顔の部分にフォーカスを合わせるようにフォーカスレンズ駆動部４２を制御し、フラッシュ４８の強さを調整する。また画像処理回路２０において、ＷＢホワイトバランスを、顔の肌がきれいに見えるように処理させる。
【００５０】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００５１】
Ａ／Ｄ変換器１６のデータが、画像処理回路２０、メモリ制御回路２２を介して、或いはＡ／Ｄ変換器１６のデータが、直接メモリ制御回路２２を介して、画像表示メモリ２４或いはメモリ３０に書き込まれる。
【００５２】
画像表示メモリ２４に書き込まれた表示用の画像データは、Ｄ／Ａ変換器２６を介してＴＦＴ  ＬＣＤ等からなる画像表示部２８に表示される。
【００５３】
従って、画像表示部２８を用いて、撮影した画像データを逐次表示すれば、電子ファインダ機能を実現することが可能である。また、画像表示部２８は、システム制御回路５０の指示により任意に表示をオン／オフすることが可能であり、表示をオフにした場合には撮影装置１００の電力消費を大幅に低減することができる。
【００５４】
メモリ３０は、撮影した静止画像や動画像を格納するためのものであり、所定枚数の静止画像や所定時間の動画像を格納するのに十分な記憶量（記憶容量）を備えている。これにより、複数枚の静止画像を連続して撮影する連写撮影やパノラマ撮影の場合にも、高速かつ大量の画像書き込みをメモリ３０に対して行うことが可能となる。
【００５５】
また、メモリ３０は、システム制御回路５０の作業領域としても使用することが可能である。圧縮・伸長回路３２は、適応離散コサイン変換（ＡＤＣＴ）、ウェーブレット変換等により画像データを圧縮伸長するものであり、メモリ３０に格納された画像を読み込んで圧縮処理或いは伸長処理を行い、処理を終えたデータをメモリ３０に書き込む。
【００５６】
絞りシャッタ駆動部４０は、絞り機能を備えるシャッタ１２を制御するものであり、フラッシュ４８と連携することにより、フラッシュ調光機能も有するものである。フォーカスレンズ駆動部４２は、フォーカスレンズ１０ａの駆動を制御する。
【００５７】
ズームレンズ駆動部４４は、ズームレンズ１０ｂを駆動させる。バリア制御部４６は、バリアである保護部１０２の動作を制御する。フラッシュ４８は、ＡＦ補助光の投光機能、フラッシュ調光機能も有する。
【００５８】
絞りシャッタ駆動部４０、フォーカスレンズ駆動部４２は、撮影した画像データが画像処理回路２０によって演算された演算結果に基づき、システム制御回路５０によって制御され、露出、ピントを制御する。
【００５９】
システム制御回路５０は、撮影装置１００全体を制御する。メモリ５２は、システム制御回路５０の動作用の定数、変数、プログラム等を記憶する。
【００６０】
液晶表示装置、スピーカー等の表示部５４は、システム制御回路５０でのプログラムの実行に応じて、文字、画像、音声等を用いて動作状態やメッセージ等を表示する。表示部５４は、撮影装置１００の操作部近辺の視認し易い位置に単数或いは複数設置され、例えば、ＬＣＤやＬＥＤ、発音素子等の組み合わせにより構成されている。
【００６１】
また、表示部５４は、その一部の機能が光学ファインダ１０４内に設置されている。
【００６２】
表示部５４の表示内容のうち、ＬＣＤ等に表示するものとしては、例えば、シングルショット／連写撮影表示、セルフタイマ表示、圧縮率表示、記録画素数表示、記録枚数表示、残撮影可能枚数表示、シャッタースピード表示、絞り値表示等がある。
【００６３】
また、ＬＣＤ等に表示するものとしては、例えば、露出補正表示、フラッシュ表示、赤目緩和表示、マクロ撮影表示、ブザー設定表示、時計用電池残量表示、電池残量表示、エラー表示、複数桁の数字による情報表示、記録媒体２００の着脱状態表示等がある。
【００６４】
また、ＬＣＤ等に表示するものとしては、例えば、通信Ｉ／Ｆ動作表示、日付け・時刻表示、外部コンピュータとの接続状態を示す表示等がある。
【００６５】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示、シャッタースピード表示、絞り値表示等がある。
【００６６】
また、光学ファインダ１０４内に表示するものとしては、露出補正表示、記録媒体書き込み動作表示等がある。
【００６７】
更に、表示部５４の表示内容のうち、ＬＥＤ等に表示するものとしては、以下のものがある。
【００６８】
即ち、合焦表示、撮影準備完了表示、手振れ警告表示、フラッシュ充電表示、フラッシュ充電完了表示、記録媒体書き込み動作表示、マクロ撮影設定通知表示、二次電池充電状態表示等がある。
【００６９】
本実施の形態のタリーランプ（発光素子）５８は、動画記録中であることを通知するために点灯、消灯、点滅等の動作を行う。尚、タリーランプ５８は、動画記録中の通知のためだけではなく、セルフタイマ通知及びＡＦ補助光と共用して用いてもよい。
【００７０】
電気的に消去・記録可能な不揮発性メモリ５６は、例えばＥＥＰＲＯＭ（Erasable  programmable  Read Only Memory）、フラッシュメモリ等が用いられる。
【００７１】
符号６０、６２、６４、７０及び７２は、システム制御回路５０の各種の動作指示を入力するための構成要素であり、スイッチやダイアル、タッチパネル、視線検知によるポインティング、音声認識装置等の単数或いは複数の組み合わせで構成される。
【００７２】
以下、具体的な説明を行う。
【００７３】
メインスイッチ６０は、撮影装置１００の電源オン、電源オフの各モードを切り替え設定することができる。また、撮影装置１００に接続された各種付属装置の電源オン、電源オフの設定も併せて切り替え設定することができる。
【００７４】
第１のシャッタースイッチ（ＳＷ１）６２は、不図示のシャッターボタンの操作途中でオンとなり、ＡＦ処理、ＡＥ処理、ＡＷＢ処理、ＥＦ処理等の動作開始を指示する。
【００７５】
第２のシャッタースイッチ（ＳＷ２）６４は、不図示のシャッターボタンの操作完了でオンとなる。この操作で、撮像素子１４から読み出した信号（画像データ）を、Ａ／Ｄ変換器１６、メモリ制御回路２２を介してメモリ３０に書き込む露光処理を行う。
【００７６】
続いて、画像処理回路２０やメモリ制御回路２２での演算を用いた現像処理を行う。また、メモリ３０から画像データを読み出し、圧縮・伸長回路３２で圧縮処理を行う。最後に記録媒体２００に画像データを書き込む記録処理を行う。
【００７７】
動画記録ボタン７３が、動画記録をしていない状態で押下されると、撮像素子１４から読み出した信号（画像データ）を、Ａ／Ｄ変換器１６、メモリ制御回路２２を介してメモリ３０に書き込む露光処理を行う。
【００７８】
続いて、画像処理回路２０やメモリ制御回路２２での演算を用いた現像処理を行う。また、メモリ３０から画像データを読み出し、圧縮・伸長回路３２で圧縮処理を行う。最後に、記録媒体２００に画像データを動画像データとして連続的に書き込む記録処理を行う。
【００７９】
また、不図示のマイクロフォンから音声データを取得し、不図示の方法によってＡ／Ｄ変換を行い、不図示の方法によって圧縮を行い、不図示の方法で上記動画像データとマージして音声付動画像データとしてもよい。
【００８０】
動画像データを記録中に動画記録ボタン７３を押下すると、この一連のシーケンスを終了させる。
【００８１】
各種ボタンやタッチパネル等からなる操作部７０は、メニューボタン、セットボタン、マクロボタン、マルチ画面再生改ページボタン、フラッシュ設定ボタン、単写／連写／セルフタイマ切り替えボタン、メニュー移動＋プラスボタン等を有する。
【００８２】
また、操作部７０は、メニュー移動−マイナスボタン、再生画像移動＋プラスボタン、再生画像−マイナスボタン、撮影画質選択ボタン、露出補正ボタン、日付／時間設定ボタン、画像表示オン／オフボタン、圧縮モードスイッチ等を有する。
【００８３】
また、操作部７０は、撮影直後に撮影した画像データを、画像表示部２８を用いて自動再生表示するクイックレビュー機能を設定するクイックレビュースイッチを有する。
【００８４】
また、操作部７０は、撮影及び或いは再生及び或いは通信を実行する際に各種機能の選択及び切り替えを設定する選択／切り替えスイッチ、撮影及び或いは再生及び或いは通信を実行する際に各種機能の決定及び実行を設定する決定／実行スイッチ等を有する。
【００８５】
尚、圧縮モードスイッチは、ＪＰＥＧ（Joint Photographic Expert Group）圧縮の圧縮率を選択するため、或いは撮像素子１４の信号をそのままディジタル化して記録媒体に記録するＣＣＤＲＡＷモードを選択するためのスイッチである。
【００８６】
ＪＰＥＧ圧縮のモードは、例えばノーマルモードとファインモードが用意されている。
【００８７】
撮影装置１００の利用者は、撮影した画像のデータサイズを重視する場合はノーマルモードを、撮影した画像の画質を重視する場合はファインモードを、それぞれ選択して撮影を行うことができる。
【００８８】
ＪＰＥＧ圧縮のモードにおいては、撮像素子１４から読み出されてＡ／Ｄ変換器１６、画像処理回路２０、メモリ制御回路２２を介して、メモリ３０に書き込まれた画像データを読み出す。このデータを、圧縮・伸長回路３２により設定した圧縮率に圧縮し、記録媒体２００に記録を行う。
【００８９】
ＣＣＤＲＡＷモードでは、Ａ／Ｄ変換器１６、メモリ制御回路２２を介して、メモリ３０に書き込まれた画像データを、撮像素子１４の色フィルタの画素配列に応じて、ライン毎にそのまま読み出して、記録媒体２００に記録を行う。
【００９０】
モードダイアル７２は、自動撮影モード、撮影モード、パノラマ撮影モード、再生モード、マルチ画面再生・消去モード、ＰＣ接続モード等の各機能モードを切り替え設定することができる。尚、本実施の形態の説明においては、特に、撮影モード、再生モード、プリントサービスモードを撮影装置１００が備える構成としている。
【００９１】
電源制御部８０は、電池検知回路、ＤＣ−ＤＣコンバータ、通電するブロックを切り替えるスイッチ回路等により構成されている。この電源制御部８０は、電池の装着の有無、電池の種類、電池残量の検知を行い、検知結果及びシステム制御回路５０の指示に基づいてＤＣ−ＤＣコンバータを制御し、必要な電圧を必要な期間、記録媒体２００を含む各部へ供給する。
【００９２】
アルカリ電池やリチウム電池等の一次電池やＮｉＣｄ電池やＮｉＭＨ電池、リチウムイオン電池等の二次電池、ＡＣアダプタ等からなる電源８６は、コネクタ８２、８４を介して電源制御部８０に接続される。
【００９３】
インターフェース（Ｉ／Ｆ）９０は、メモリカードやハードディスク等の記録媒体２００に接続される。コネクタ９２は、記録媒体２００とインターフェース（Ｉ／Ｆ）９０を接続する。
【００９４】
バリアである保護部１０２は、撮影装置１００のレンズ１０を含む撮影部を覆うことにより、撮影部の汚れや破損を防止する。
【００９５】
光学ファインダ１０４のみを用いて、画像表示部２８による電子ファインダ機能を使用すること無しに、撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示等の機能が設置されている。
【００９６】
コネクタ１１２は、通信部１１０により他の機器と接続する際に使用される。
【００９７】
通信部１１０の例としては、ＲＳ−２３２ＣやＵＳＢ、ＩＥＥＥ（Institute of Electrical and Electronics Engineers）１３９４、有線ＬＡＮ等の有線通信手段、或いはＩＥＥＥ８０２．１１ｇ等の無線通信手段が挙げられる。
【００９８】
メモリカードやハードディスク等の記録媒体２００は、半導体メモリや磁気ディスク等から構成される記録部２０２、撮影装置１００とのインターフェース（Ｉ／Ｆ）２０４、撮影装置１００と接続を行うコネクタ２０６を備えている。
【００９９】
ここで、撮像素子１４は、画像を撮影する撮影手段として機能する。また、顔認識回路２１は、画像の中に人物の像が含まれているかを検知する検知手段として機能する。また、タリーランプ５８は、人物にむけて撮影手段の状態を通知する通知手段として機能する。
【０１００】
また、システム制御回路５０は、検知手段が人物を検知しているときは、撮影手段の状態を通知手段によって通知し、検知手段が人物を検知していないときは、通知手段を動作させないように制御する制御手段として機能する。
【０１０１】
尚、撮影手段の状態とは、撮影手段が動作中の状態、撮影手段の動作準備が完了した状態、撮影手段が動作継続可能な状態のいずれかである。
【０１０２】
また、記録媒体２００は、画像を連続的に記録する記録手段として機能する。また、通信部１１０は、画像を連続的に通信する通信手段として機能する。また、タリーランプ５８は、人物にむけて記録手段もしくは通信手段の状態を通知する通知手段として機能する。
【０１０３】
また、システム制御回路５０は、検知手段が人物を検知しているときは、記録手段もしくは通信手段の状態を通知手段によって通知し、検知手段が人物を検知していないときは、通知手段を動作させないように制御する制御手段として機能する。
【０１０４】
尚、記録手段の状態とは、記録手段が動作中である状態、記録手段の動作準備が完了した状態、記録手段が動作継続可能である状態のいずれかである。また、通信手段の状態とは、通信手段が動作中である状態、通信手段の動作準備が完了した状態、通信手段が動作継続可能である状態のいずれかである。
【０１０５】
また、制御手段は、検知手段が人物を検知し、あるタイミングで人物を検知しなくなった場合であって、一定の時間、継続して人物を検知しなかった場合に、通知手段の動作を停止させる。
【０１０６】
次に、上記の如く構成された撮影装置１００の動作について図２、図３を参照しながら詳細に説明する。
（第１の実施の形態）
図２は、図１の撮影装置によって実行される動画記録中のタリーランプ制御処理の第１の実施の形態の手順を示すフローチャートである。
【０１０７】
本フローチャートは、図１におけるシステム制御回路５０の制御の下に実行される。
【０１０８】
動画記録ボタン７３を押下することで、タリーランプ制御シーケンスが実行される。まず、ステップＳ２００において、撮影されている画像の中に人物が含まれるかを検知する。
【０１０９】
ここで、被写体の中に人物が含まれると検知された場合は、ステップＳ２０１にて、現在のタリーランプ５８の状態を確認する。
【０１１０】
タリーランプ５８が点灯していない場合は、ステップＳ２０３で、タリーランプ５８を点灯させ、ステップＳ２０５へ進む。Ｓ２０１でタリーランプ５８が既に点灯されていた場合は、何もせずにステップＳ２０５へ進む。
【０１１１】
ステップＳ２０５で、再度、動画記録ボタン７３の状態を確認し、動画記録ボタン７３が押された場合は、シーケンスを終了させる。動画記録ボタン７３が押下されていない場合は、ステップＳ２００へ戻る。
【０１１２】
ステップＳ２００で人物が検知されなかった場合は、ステップＳ２０２へ進み、タリーランプ５８の状態を確認する。タリーランプ５８が点灯している場合は、ステップＳ２０４へ進み、タリーランプ５８を消灯する。タリーランプ５８が点灯していない場合は、そのままステップＳ２０５へと進む。
【０１１３】
このシーケンスをステップＳ２０５にて記録終了となるまで繰り返す。
【０１１４】
本実施の形態によれば、無駄なタリーランプ５８の点灯を抑えることができ、省エネルギー化に寄与できる。
（第２の実施の形態）
図３は、図１の撮影装置によって実行される動画記録中のタリーランプ制御処理の第２の実施の形態の手順を示すフローチャートである。
【０１１５】
図３においてステップＳ３００、Ｓ３０１、Ｓ３０３、Ｓ３０５、Ｓ３０２、Ｓ３０４は、それぞれ、図２のステップＳ２００、Ｓ２０１、Ｓ２０３、Ｓ２０５、Ｓ２０２、Ｓ２０４に対応し、同じ処理を実施する。
【０１１６】
第２の実施の形態では、人物が検知されなかった場合、ステップＳ３０６で、人物が検知されない時間を記録する。
【０１１７】
ステップＳ３０２で、現在のタリーランプ５８の状態を確認し、点灯中である場合は、ステップＳ３０７へ進む。
【０１１８】
ステップＳ３０７では、ステップＳ３０６で計測した人物非検知時間と設定値を比較し、人物非検知時間が設定値よりも大きい場合（設定値を超えている場合）は、ステップＳ３０４で、タリーランプ５８を消灯する。
【０１１９】
設定値は、任意の値が用いられ、例えば、１秒乃至１０秒の範囲で設定することが好ましい。尚、この設定値は、撮影装置１００のユーザーもしくは撮影装置１００を作成する設計者等が選ぶことが可能であり、本発明はこの値に限定されるものではない。
【０１２０】
また、人物が検知された場合は、ステップＳ３０８で、人物非検知時間を初期化する。
【０１２１】
本実施の形態によれば、被写体である人物がタリーランプ表示を見逃す可能性を排除しつつ、無駄なタリーランプ５８の点灯を抑えることができる。
【０１２２】
尚、図２及び図３で示したフローチャートは、タリーランプ制御のフローであり、動画記録に関するステップは含まれておらず、不図示の別のシーケンスとして動作している。動画記録シーケンスとタリーランプ制御シーケンスは優先順位が異なるため、別タスクで動作させることが好ましいが、この限りではない。
【０１２３】
本実施の形態では、動画記録中の例を示した。それ以外にも、ライブビューと呼ばれる記録部２０２への記録は行わず、撮像素子１４から画像表示部２８までを動作させる場合にも当業者によって容易に実施可能である。また、通信部１１０によって画像データを外部に通信する場合にも当業者によって容易に実施可能である。
【０１２４】
また、第１、第２の実施の形態のように、動作状態を通知するのではなく、被写体モデルに通知する用途であれば他の情報も同様の方法によって当業者により容易に実施可能である。例えば、上述したように、リモートコントローラからの指示の受信状況、撮影装置の記録モードや残り時間等が挙げられるが、これに限定されるものではない。
【０１２５】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータまたはＣＰＵやＭＰＵ等が記憶媒体に格納されたプログラムコードを読み出す処理である。
【０１２６】
この場合、記憶媒体から読み出されたプログラムコード自体が前述した実施の形態の機能を実現することになり、そのプログラムコード及び該プログラムコードを記憶した記憶媒体は本発明を構成することになる。
【０１２７】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１２８】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳオペレーティングシステム等が実際の処理の一部または全部を行い、その処理によって前述した実施形態の機能が実現される場合も含まれる。
【０１２９】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【０１３０】
【図１】本発明の実施の形態に係る撮影装置の構成を示すブロック図である。
【図２】図１の撮影装置によって実行される動画記録中のタリーランプ制御処理の第１の実施の形態の手順を示すフローチャートである。
【図３】図１の撮影装置によって実行される動画記録中のタリーランプ制御処理の第２の実施の形態の手順を示すフローチャートである。
【符号の説明】
【０１３１】
１０  撮影レンズ
１４  撮像素子
１６  Ａ／Ｄ変換器
１８  タイミング発生回路
２０  画像処理回路
２２  メモリ制御回路
２１  顔認識回路
２４  画像表示メモリ
２６  Ｄ／Ａ変換器
２８  画像表示部
３０  メモリ
３２  圧縮・伸長回路
４０  絞りシャッタ駆動部
４２  フォーカスレンズ駆動部
４４  ズームレンズ駆動部
４６  バリア制御部
４８  フラッシュ
５０  システム制御回路
５２  メモリ
５４  表示部
５８  タリーランプ
７０  操作部
７２  モードダイアル
７３  動画記録ボタン
８０  電源制御部
１００  撮影装置
２００  記録媒体
【図１】
2010093432.tif 000003
【図２】
2010093432.tif 000004
【図３】
2010093432.tif 000005